(57)【要約】【課題】商用電力系統から出力される電力の単価の変動に対応して、安価な電力を負荷に供給する。【解決手段】蓄電池の充放電制御方法であって、前記蓄電池の電力単価を、前記蓄電池に充電された電力の種類に応じて逐次算出するステップと、時間帯および電力系統の電力単価を包含する情報を取得するステップと、各時間帯の電力系統の電力単価と前記蓄電池の電力単価との大小関係を求めるステップと、前記求められた大小関係に基づいて、各時間帯における前記蓄電池の充放電を決定するステップと、前記決定された充放電にしたがって、前記蓄電池を充放電するステップとを備える。【選択図】図３
2016025676.tif 000002
【特許請求の範囲】
【請求項１】
蓄電池の充放電制御方法であって、
前記蓄電池の電力単価を、前記蓄電池に充電された電力の種類に応じて逐次算出するステップと、
時間帯および電力系統の電力単価を包含する情報を取得するステップと、
各時間帯の電力系統の電力単価と前記蓄電池の電力単価との大小関係を求めるステップと、
前記求められた大小関係に基づいて、各時間帯における前記蓄電池の充放電を決定するステップと、
前記決定された充放電にしたがって、前記蓄電池を充放電するステップと
を備えることを特徴とする蓄電池の充放電制御方法。
【発明の詳細な説明】
【技術分野】
【０００１】
本発明は、蓄電池の充放電制御方法に関し、より詳細には、安価な電力を充電するための蓄電池の充放電制御方法に関する。
【背景技術】
【０００２】
従来から、商用電力系統から出力される交流電力を変換した直流電力や、分散電源から出力される直流電力を、負荷に供給する直流電源システムが知られている。本明細書では、分散電源は、太陽電池、蓄電池、燃料電池を含む。また、負荷は、サーバやルータ等のＩＣＴ（Information and Communication Technology：情報通信技術）装置を含む。
【０００３】
負荷への電力の供給元の電源の種類が変化すると、電力に掛かる電気代も変化する。例えば、商用電力系統から出力される電力については、深夜時間帯の電気代が割安になる深夜電力が存在する。また、太陽電池については、設置する際には費用が掛かるが、一度設置すると電気代は掛からない。
【０００４】
そこで、事前に電気代が安い順番に優先順位を付けて、優先順位の高い電力を蓄電池に充電することで、蓄電池に充電する電力の電気代を低減させるシステムが、例えば、特許文献１に開示されている。
【先行技術文献】
【特許文献】
【０００５】
【特許文献１】特開平１１−１７８２３７号公報
【発明の概要】
【発明が解決しようとする課題】
【０００６】
しかしながら、特許文献１に記載のシステムについては、優先順位を付ける条件が予め決められており、例えば、１日のうちに電気代が変動するダイナミックプライシングに対応できなかった。したがって、従来の技術では、電気代が高い時間帯における商用電力系統から出力される電力を蓄電池に充電し、蓄電池に充電する電力の電気代が高くなる場合があるという問題があった。
【０００７】
本発明は、このような問題に鑑みてなされたもので、その目的とするところは、商用電力系統から出力される電力の単価の変動に対応して、安価な電力を充電する蓄電池の充放電制御方法を提供することにある。
【課題を解決するための手段】
【０００８】
本発明は、このような目的を達成するために、請求項１に記載の発明は、蓄電池の充放電制御方法であって、前記蓄電池の電力単価を、前記蓄電池に充電された電力の種類に応じて逐次算出するステップと、時間帯および電力系統の電力単価を包含する情報を取得するステップと、各時間帯の電力系統の電力単価と前記蓄電池の電力単価との大小関係を求めるステップと、前記求められた大小関係に基づいて、各時間帯における前記蓄電池の充放電を決定するステップと、前記決定された充放電にしたがって、前記蓄電池を充放電するステップとを備えることを特徴とする。
【発明の効果】
【０００９】
以上説明したように、本発明によれば、商用電力系統から出力される電力の単価の変動に応じて、安価な電力が蓄電池に充電されるように蓄電池の充放電を制御し、蓄電池に充電される直流電力の電力単価を低減することが可能となる。
【図面の簡単な説明】
【００１０】
【図１】本発明の一実施形態にかかる充放電制御システムを用いた負荷給電システムを示す構成図である。
【図２】或る時刻ｔ0における、蓄電池に充電された電力の種類の内訳の一例を示す図である。
【図３】本発明の一実施形態にかかる、蓄電池に充放電させるための制御を説明するための図である。
【図４】本発明の一実施形態における、商用電力系統の電力単価の推移情報に基づいて決定した蓄電池の充放電に従って、充放電する様子を示す図である。
【図５】或る時刻ｔ5における、蓄電池に充電された電力の種類の内訳の一例を示す図である。
【図６】本発明の一実施形態にかかる直流電力の供給制御方法を示すフローチャートである。
【発明を実施するための形態】
【００１１】
以下、図面を参照しながら本発明の実施形態について詳細に説明する。
【００１２】
（構成）  
図１に本発明の一実施形態にかかる充放電制御システムを用いた負荷給電システムの構成を示す。負荷給電システム１は、交流電源である商用電力系統２と負荷３との間に設置される。負荷給電システム１は、商用電力系統２から出力された交流電力を２つに分岐し、分岐した一方の電力を負荷３に供給し、他方の電力を蓄電池に供給する受電設備１１と、負荷３に供給するための電力を生成する分散電源１２とを備える。負荷３には、交流電力を直流電力に変換するコンバータを備えてもよい。分散電源１２は、太陽光発電、燃料電池などの直流電源１２１と、蓄電池１２２とを備える。なお、風力発電も分散電源１２に含めることが可能である。この場合、風力発電で生成した交流電力を直流電力に変換し、負荷に給電するために用いたり、蓄電池を充電するために用いたりしてもよい。
【００１３】
また、負荷給電システム１は、商用電力系統２から受電設備１１へ供給される電力を計測する電力計１３を備える。負荷給電システム１は、商用電力系統２や蓄電池１２２の電力単価の情報を取得し、取得した電力単価に基づいて、蓄電池１２２の充放電を制御する充放電制御システム１４を備える。本明細書では、電力単価は、１キロワット時あたりの価格をいい、単位は、（円/ｋＷｈ）である。負荷給電システム１は、充放電制御システム１４が蓄電池１２２の充放電を制御するために使用する情報を格納する記憶装置１５を備える。
【００１４】
本発明の一実施形態にかかる充放電制御システム１４は、受電設備１１で分岐した交流電力を直流電力に変換して出力するＡＣ／ＤＣコンバータ１４１と、直流電源１２１から出力された直流電力の電圧を調整するＤＣ／ＤＣコンバータ１４２と、蓄電池１２２から出力された直流電力の電圧を調整するＤＣ／ＤＣコンバータ１４３とを備える。ＡＣ／ＤＣコンバータ１４１およびＤＣ／ＤＣコンバータ１４３は、双方向のコンバート機能をそれぞれ有する。ＡＣ／ＤＣコンバータ１４１の出力端子と、ＤＣ／ＤＣコンバータ１４２の出力端子と、ＤＣ／ＤＣコンバータ１４３の出力端子とは、ＤＣバス１４４で接続されている。分散電源１２で生成された電力は、例えば、ＤＣバス１４４を通ってＡＣ／ＤＣコンバータ１４１で直流から交流へ変換され、ＡＣ／ＤＣコンバータ１４１で交流に変換された電力は、受電設備１１を介して負荷３に供給される。
【００１５】
さらに、本発明の一実施形態にかかる充放電制御システム１４は、記憶装置１５から取得された商用電力系統２の電力単価の推移情報と、蓄電池１２２の電力単価とに基づいて、蓄電池１２２の充放電を制御する制御部１４５を備える。記憶装置１５には、電力会社から商用電力系統２の電力単価の推移情報が定期的に送信され、格納されている。
【００１６】
制御部１４５は、電力計１３を用いて、負荷３に供給される電力を計測する電力計測部１４５１と、蓄電池１２２に充電された電力の種類に基づいて、或る時刻における蓄電池１２２に充電された電力単価を算出する電力単価計算部１４５２とを備える。電力計１３は、スマートメータを含む。電力単価計算部１４５２は、蓄電池１２２の電力単価を逐次算出する。ここで逐次算出するとは、例えば、所定時間（例えば１時間）に１回算出することや、蓄電池１２２の充放電の開始のタイミングに合わせて算出することである。蓄電池１２２に充電された電力の種類の情報は、記憶部１４に格納され、蓄電池１２２が充電するに応じて情報が更新される。
【００１７】
また、制御部１４５は、商用電力系統２の電力単価Ｐ\Gの推移情報を記憶装置１５から取得する推移情報取得部１４５３と、商用電力系統２の電力単価の推移情報を参照して、各時間帯における商用電力系統２の電力単価と、蓄電池１２２の電力単価との大小関係をそれぞれ求める電力単価比較部１４５４とを備える。
【００１８】
制御部１４５は、電力単価比較部１４５４で求めた結果に基づいて、各時間帯における蓄電池１２２の充放電を決定する充放電決定部１４５５を備える。制御部１４５は、決定された蓄電池１２２の充放電に基づき、所定の計算式を用いて各時間帯における充電または放電すべき容量を導出する充放電容量導出部１４５６とを備える。
【００１９】
また、制御部１４５は、導出された各容量に基づいて、各時間帯において蓄電池１２２を充放電する制御指令部１４５７を備える。
【００２０】
（具体例）  
本実施形態では、商用電力系統２の電力単価Ｐ\Gの推移情報（例えば、ダイナミックプライシングに係る情報）に基づいて、電力単価が高くなる時間帯において蓄電池１２２に充分に放電させ、電力単価が安くなる時間帯において電力を蓄電池１２２に充電させることによって、できるだけ安価な電力で蓄電池１２２を充電させる。
【００２１】
先ず、電力単価計算部１４５２は、記憶装置１５に格納された情報に基づいて、或る時刻ｔ0における蓄電池１２２に充電された電力単価Ｐ\BT_t0を算出する。電力単価Ｐ\BT_t0は、蓄電池１２２に供給された電力の種類によって変化する。
【００２２】
図２に或る時刻ｔ0における、蓄電池１２２に充電された電力の種類の内訳の一例を示す。ここで、例えば、或る時刻ｔ0における蓄電池１２２に充電された電力単価Ｐ\BT_t0の電力ＰBTのうち、６割が電力単価Ｐ\Gの商用電力系統２から供給された電力ＰG、２割が電力単価Ｐ\FCの燃料電池から供給された電力ＰFC、残り２割が電力単価Ｐ\PVの太陽電池から供給された電力ＰPVとして仮定する。すると、電力単価計算部１４５２は、電力単価Ｐ\BT_t0が、Ｐ\GとＰ\FCとＰ\PVの３つの平均となるように、次の（式１）のように算出する。
Ｐ\BT_t0＝０．６×Ｐ\G＋０．２×Ｐ\FC＋０．２×Ｐ\PV      （式１）
【００２３】
電力単価計算部１４５２は、（式１）のような計算式を用いて、蓄電池１２２の電力単価Ｐ\BTを逐次算出する。
【００２４】
図３は本発明の一実施形態にかかる、蓄電池に充放電させるための制御を説明するための図である。図３（ａ）に商用電力系統２の電力単価の推移情報の一例を示し、図３（ｂ）は商用電力系統２の電力単価の推移情報に基づいて作成された蓄電池１２２の充放電のスケジュールの一例である。図３（ａ）に示すグラフの横軸は時間を表し、縦軸は電力単価を表す。図３（ｂ）に示すグラフの横軸は時間を表し、縦軸は充電率（ＳＯＣ：State Of Charge）を表す。充電率とは、蓄電池１２２の残容量から蓄電池１２２が満充電した容量（いわゆる、満充電容量（ＦＣＣ：Full Charge Capacity））を除算して得た値である。
【００２５】
推移情報取得部１４５３は、商用電力系統２の電力単価Ｐ\Gの推移情報を記憶装置１５から取得する。商用電力系統２の電力単価Ｐ\Gの推移情報には、或る時間帯における電力単価Ｐ\Gの情報が含まれている。ここで、電力単価Ｐ\BT_t0をｃと仮定し、図３（ａ）中、電力単価Ｐ\Gを実線（Ｘ）で示し、電力単価Ｐ\BT_t0を破線の矢印（Ｙ）で示す。図３（ａ）に示す商用電力系統２の電力単価Ｐ\Gの推移情報の例を見ると、時間帯と電力単価Ｐ\Gとの関係は次の表１のようになっている。
【００２６】
【表１】
2016025676.tif 000003
【００２７】
推移情報取得部１４５３は、表１のようなテーブルを取得する。電力単価比較部１４５４は、表１のようなテーブルを参照して、電力単価計算部１４５２で算出した或る時刻ｔ0における電力単価Ｐ\BT_t0と、各時間帯における電力単価Ｐ\Gとの大小関係をそれぞれ求める。すると、時間帯（ｔ0〜ｔ1）では、電力単価Ｐ\BT_t0と電力単価Ｐ\Gとは等しく、時間帯（ｔ1〜ｔ3）および時間帯（ｔ5〜ｔ6）では、電力単価Ｐ\Gが電力単価Ｐ\BT_t0より高くなっており、時間帯（ｔ3〜ｔ5）および時間帯（ｔ6〜ｔ7）では、電力単価Ｐ\BT_t0が電力単価Ｐ\Gより高くなっている。
【００２８】
本実施形態では、電力単価ができるだけ安い電力を、できるだけ多くの量で蓄電池１２２に充電したい。よって、電力単価Ｐ\Gが、電力単価Ｐ\BT_t0より高い場合に充分に放電させ、電力単価Ｐ\Gが、電力単価Ｐ\BT_t0より低い場合に充電させる。電力単価Ｐ\Gと電力単価Ｐ\BT_t0とが等しい場合には、充電も放電も行わずに待機する。
【００２９】
電力単価比較部１４５４が、或る時刻ｔ0における電力単価Ｐ\BT_t0と、各時間帯における電力単価Ｐ\Gとの大小関係をそれぞれ求めた結果と、求めた大小関係に基づいて決定した蓄電池１２２の充放電を、次の表２に表す。
【００３０】
【表２】
2016025676.tif 000004
【００３１】
充放電決定部１４５５は、表２のようなテーブルに基づいて、各時間帯における蓄電池１２２の充放電を決定する。表２のそれぞれの項目は、図３（ｂ）のグラフに対応する。表２のようなテーブルは、記憶装置１５に格納される。
【００３２】
充放電容量導出部１４５６は、各時間帯における蓄電池１２２の充放電に基づき、所定の計算式を用いて、各時間帯における充電または放電すべき容量を取得する。
【００３３】
（所定の計算式）  
充放電容量導出部１４５６で用いられる所定の計算式について説明する。本実施形態では、商用電力系統２の電力単価が蓄電池１２２の電力単価より高いときに、充分に放電させるが、どこまで放電させるかの指標として放電目標ＳＯＣを設定する。また、商用電力系統２の電力単価が蓄電池１２２の電力単価より低いときに、どこまで充電させるかの指標として充電目標ＳＯＣを設定する。放電目標ＳＯＣおよび充電目標ＳＯＣは、予め定められ、記憶装置１５に格納される。放電目標ＳＯＣおよび充電目標ＳＯＣは、負荷３に供給される電力に基づいて定めてもよい。図３（ｂ）では、充電目標ＳＯＣは１００％となっているが、これに限られない。
【００３４】
所定の時刻ｔにおける蓄電池１２２の放電可能な電力量Ｄtを求める計算式を次の（式２）に表す。
Ｄt＝（ＳＯＣt−放電目標ＳＯＣ）×ＦＣＣt      （式２）
【００３５】
ＳＯＣtは、所定の時刻ｔにおける蓄電池１２２の充電率であり、ＦＣＣtは、所定の時刻ｔにおける蓄電池１２２の満充電容量である。蓄電池１２２の充電率ＳＯＣｔや満充電容量ＦＣＣtは、例えば、ＤＣ／ＤＣコンバータ１４３の出力側に設置される不図示の電流計で計測された電流によって導出される。
【００３６】
所定の時刻ｔにおける蓄電池１２２の充電可能な電力量Ｃtを求める計算式を次の（式３）に表す。
Ｃt＝（充電目標ＳＯＣ−ＳＯＣt）×ＦＣＣt      （式３）
【００３７】
本実施形態において、複数の時間帯にわたって、商用電力系統２の電力単価が蓄電池１２２の電力単価より高いときに、どのように放電させるか、また、複数の時間帯にわたって、商用電力系統２の電力単価が蓄電池１２２の電力単価より低いときに、どのように充電させるかについて、図３を参照して説明する。
【００３８】
図３（ａ）では、時刻ｔ1から時刻ｔ3にかけて、商用電力系統２の電力単価Ｐ\Gが蓄電池１２２の電力単価Ｐ\BT_t0より高くなっており、時刻ｔ3から時刻ｔ5にかけて、商用電力系統２の電力単価Ｐ\Gが蓄電池１２２の電力単価Ｐ\BT_t0より低くなっており、時刻ｔ5から時刻ｔ6にかけて、再び商用電力系統２の電力単価Ｐ\Gが蓄電池１２２の電力単価Ｐ\BT_t0より高くなっている。よって、時刻ｔ1から放電を始めて、時刻ｔ3までには、（式２）で算出される時刻ｔ1における放電可能な電力量Ｄt1まで全て放電させたい。本実施形態では、商用電力系統２の電力単価と時間との積で得た値を用いて、各時間帯における放電電力量を求める。具体的には、電力系統の電力単価と時間との積で得た値が大きい方が、放電電力量が多くなるように算出する。
【００３９】
先ず、時間帯（ｔ1〜ｔ2）における商用電力系統２の電力単価Ｐ\G(t1〜t2)と時間Ｔ(t1〜t2)との積α(t1〜t2)を表した式を次の（式４）に示す。
α(t1〜t2)＝Ｐ\G(t1〜t2)×Ｔ(t1〜t2)      （式４）
【００４０】
また、時間帯（ｔ2〜ｔ3）における商用電力系統２の電力単価Ｐ\G(t2〜t3)と時間Ｔ(t2〜t3)との積α(t2〜t3)を表した式を次の（式５）に示す。
α(t2〜t3)＝Ｐ\G(t2〜t3)×Ｔ(t2〜t3)      （式５）
【００４１】
次に、時間帯（ｔ1〜ｔ2）における放電電力量Ｄ(t1〜t2)を求める式を次の（式６）に示す。
Ｄ(t1〜t2)＝Ｄt1×（α(t1〜t2)／（α(t1〜t2)＋α(t2〜t3)））÷Ｔ(t1〜t2) 
（式６）
【００４２】
また、時間帯（ｔ2〜ｔ3）における放電電力量Ｄ(t2〜t3)を求める式を次の（式７）に示す。
Ｄ(t2〜t3)＝Ｄt1×（α(t2〜t3)／（α(t1〜t2)＋α(t2〜t3)））÷Ｔ(t2〜t3)      （式７）
【００４３】
よって、時間帯（ｔ1〜ｔ2）においては、放電電力量Ｄ(t1〜t2)で蓄電池１２２を放電させ、時間帯（ｔ2〜ｔ3）においては、放電電力量Ｄ(t2〜t3)で蓄電池１２２を放電させることによって、放電可能な電力量Ｄt1まで全て放電させることが可能になる。
【００４４】
また、時刻ｔ3から充電を始めて、時刻ｔ5までには、（式３）で算出される時刻ｔ3における充電可能な電力量Ｃt3まで充電させたい。本実施形態では、商用電力系統２の電力単価と時間との積で得た値を用いて、各時間帯における充電電力量を求める。具体的には、商用電力系統２の電力単価と時間との積で得た値が小さい方が、充電電力量が多くなるように算出する。
【００４５】
先ず、時間帯（ｔ3〜ｔ4）における商用電力系統２の電力単価Ｐ\G(t3〜t4)と時間Ｔ(t3〜t4)との積α(t3〜t4)を表した式を次の（式８）に示す。
α(t3〜t4)＝Ｐ\G(t3〜t4)×Ｔ(t3〜t4)      （式８）
【００４６】
また、時間帯（ｔ4〜ｔ5）における商用電力系統２の電力単価Ｐ\G(t4〜t5)と時間Ｔ(t4〜t5)との積α(t4〜t5)を表した式を次の（式９）に示す。
α(t4〜t5)＝Ｐ\G(t4〜t5)×Ｔ(t4〜t5)      （式９）
【００４７】
次に、時間帯（ｔ3〜ｔ4）における充電電力量Ｃ(t3〜t4)を求める式を次の（式１０）に示す。
Ｃ(t3〜t4)＝Ｃt3×（α(t4〜t5)／（α(t3〜t4)＋α(t4〜t5)））÷Ｔ(t3〜t4)
（式１０）
【００４８】
また、時間帯（ｔ4〜ｔ5）における放電電力量Ｄ(t4〜t5)を求める式を次の（式１１）に示す。
Ｃ(t4〜t5)＝Ｃt3×（α(t3〜t4)／（α(t3〜t4)＋α(t4〜t5)））÷Ｔ(t4〜t5)      （式１１）
【００４９】
よって、時間帯（ｔ3〜ｔ4）においては、放電電力量Ｃ(t3〜t4)で蓄電池１２２を充電させ、時間帯（ｔ4〜ｔ5）においては、放電電力量Ｃ(t4〜t5)で蓄電池１２２を充電させることによって、充電可能な電力量Ｃt3まで充電させることが可能になる。
【００５０】
制御指令部１４５７は、（式２）、（式３）、（式６）、（式７）、（式１０）、および（式１１）を用いて取得された放電容量や充電容量に基づいて、各時間帯において、蓄電池１２２に充放電させるよう制御する。
【００５１】
蓄電池１２２に充放電する方法としては、例えば、ＡＣ／ＤＣコンバータ１４１、ＤＣ／ＤＣコンバータ１４２、およびＤＣ／ＤＣコンバータ１４３のそれぞれの出力の電圧を調整することによって実現される。例えば、蓄電池１２２が充放電する電力を５００Ｗとし、ＤＣバス１４４にかかる直流電圧を−４８Ｖとして仮定して、説明する。
【００５２】
蓄電池を放電させる場合、蓄電池１２２が放電する電力をＤＣ／ＤＣコンバータ１４３から出力したいので、制御指令部１４５７は、ＤＣバス１４４にかかる直流電圧が−４８Ｖとなるように、ＤＣ／ＤＣコンバータ１４３の出力の直流電圧を調整する。
【００５３】
一方、制御指令部１４５７は、ＤＣ／ＤＣコンバータ１４３以外のＤＣ／ＤＣコンバータ１４２およびＡＣ／ＤＣコンバータ１４１の出力の直流電圧を−４８Ｖ以下になるようにそれぞれ調整する。このようにして、ＤＣ／ＤＣコンバータ１４３から５００Ｗの直流電力を出力させる一方、他のコンバータからの直流電力の出力を停止させる。
【００５４】
蓄電池を充電させる場合、ＡＣ／ＤＣコンバータ１４１から出力される直流電力を蓄電池１２２に供給したいので、制御指令部１４５７は、ＤＣバス１４４にかかる直流電圧が−４８Ｖとなるように、ＡＣ／ＤＣコンバータ１４１の出力の直流電圧を調整する。
【００５５】
一方、制御指令部１４５７は、ＡＣ／ＤＣコンバータ１４１以外のＤＣ／ＤＣコンバータ１４２およびＤＣ／ＤＣコンバータ１４３の出力の直流電圧を−４８Ｖ以下になるようにそれぞれ調整する。このようにして、ＡＣ／ＤＣコンバータ１４１から出力した直流電力を蓄電池１２２に供給させる一方、他のコンバータからの直流電力の出力を停止させる。
【００５６】
（蓄電池の電力単価の推移）  
図４に本発明の一実施形態における、商用電力系統２の電力単価の推移情報に基づいて決定した蓄電池１２２の充放電に従って、充放電する様子を示す。図４（ａ）に時刻ｔ0からｔ1までの蓄電池１２２に充電された容量および電力単価を示し、図４（ｂ）に時刻ｔ2における蓄電池１２２に充電された容量および電力単価を示す。また、図４（ｃ）に時刻ｔ3における蓄電池１２２に充電された容量および電力単価を示し、図４（ｄ）に時刻ｔ4における蓄電池１２２に充電された容量および電力単価を示す。そして、図４（ｅ）に時刻ｔ5における蓄電池１２２に充電された容量および電力単価を示す。
【００５７】
時間帯（ｔ0〜ｔ1）において、蓄電池１２２は、待機しているので、蓄電池１２２の充電率に変化は無い。時間帯（ｔ1〜ｔ2）において、蓄電池１２２は、（式６）で算出された容量Ｄ(t1〜t2)分、放電する。時間帯（ｔ2〜ｔ3）において、蓄電池１２２は、（式７）で算出された容量Ｄ(t2〜t3)分、さらに放電する。時間帯（ｔ3〜ｔ4）において、蓄電池１２２は、電力単価Ｐ\G_aの電力を（式１０）で算出された容量Ｃ(t3〜t4)分、充電する。時間帯（ｔ4〜ｔ5）において、蓄電池１２２は、電力単価Ｐ\G_bの電力を（式１１）で算出された容量Ｃ(t4〜t5)分、さらに充電する。
【００５８】
図５に或る時刻ｔ5における、蓄電池１２２に充電された電力の種類の内訳の一例を示す。例えば、蓄電池１２２に充電された電力の２割が電力単価ｂのＰ\G_bの商用電力系統２から供給され、６割が電力単価ａのＰ\G_aの商用電力系統２から供給され、２割が電力単価Ｐ\BT_t0の電力であったとして仮定する。すると、電力単価計算部１４５２は、電力単価Ｐ\BT_t5を、次の（式１２）のように算出する。
Ｐ\BT_t5＝０．２×Ｐ\G_b＋０．６×Ｐ\G_a＋０．２×Ｐ\BT_t0    （式１２）
【００５９】
電力単価Ｐ\BT_t0は、ｃであり、電力単価Ｐ\G_bおよび電力単価Ｐ\G_aより高い。よって、（式１２）により求まる電力単価Ｐ\BT_t5は、電力単価Ｐ\BT_t0よりも低くなる。したがって、蓄電池１２２の電力単価を算出した或る時刻ｔ0後の時刻において、蓄電池１２２に充電される電力の電力単価を安くすることが可能となる。
【００６０】
商用電力系統２の電力単価の推移情報に基づいて、次に蓄電池１２２の充放電を決定する場合は、電力単価Ｐ\BT_t0より安い電力単価Ｐ\BT_t5を基準に決定してもよい。図３（ａ）中のＺは、商用電力系統２の電力を充電した蓄電池１２２の電力単価Ｐ\BTの推移を表す。蓄電池１２２の電力単価Ｐ\BTの推移を考慮して、蓄電池１２２の充放電を決定すれば、より安価な電力が蓄電池１２２に充電されるようになり、蓄電池１２２に充電される電力の電力単価をより低減することが可能となる。
【００６１】
（フローチャート）  
図６に本発明の一実施形態にかかる充放電制御方法のフローチャートを示す。電力単価計算部１４５２は、蓄電池１２２に充電された電力の種類に基づいて、蓄電池１２２に充電された電力単価Ｐ\BTを逐次算出する（ステップ６０１）。推移情報取得部１４５３は、商用電力系統２の電力単価Ｐ\Gの推移情報を取得する（ステップ６０２）。電力単価比較部１４５４は、商用電力系統２の電力単価Ｐ\Gの推移情報を参照して、算出された電力単価Ｐ\BTと、各時間帯における商用電力系統２の電力単価Ｐ\Gとの大小関係をそれぞれ求める（ステップ６０３）。充放電決定部１４５５は、求めた結果に基づいて、各時間帯における蓄電池１２２の充放電を決定する（ステップ６０４）。充放電容量導出部１４５６は、決定された各時間帯における蓄電池１２２の充放電に応じて、所定の計算式を用いて、各時間帯における充電または放電すべき容量を取得する（ステップ６０５）。制御指令部１４５７は、取得された各容量に基づいて、各時間帯において、蓄電池１２２を充放電する（ステップ６０６）。
【００６２】
なお、本実施形態では、（式１）から（式１２）は、それぞれ記憶装置１５に格納される。また、本実施形態では、太陽電池などの分散電源の発電量予測情報に基づいて、蓄電池の充放電を制御してもよい。本実施形態では、満充電容量の代わりに蓄電池１２２の定格容量を用いてもよい。
【００６３】
本実施形態によれば、商用電力系統から出力される電力の単価の変動に応じて、安価な電力が蓄電池に充電されるように蓄電池の充放電を制御し、蓄電池に充電される直流電力の電力単価を低減することが可能となる。
【符号の説明】
【００６４】
１  負荷給電システム
２  商用電力系統
３  負荷
１１  受電設備
１２  分散電源
１３  電力計
１４  充放電制御システム
１５  記憶装置
１２１  直流電源
１２２  蓄電池
１４１  ＡＣ／ＤＣコンバータ
１４２、１４３  ＤＣ／ＤＣコンバータ
１４４  ＤＣバス
１４５  制御部
１４５１  電力計測部
１４５２  電力単価計算部
１４５３  推移情報取得部
１４５４  電力単価比較部
１４５５  充放電決定部
１４５６  充放電容量導出部
１４５７  制御指令部
【図１】
2016025676.tif 000005
【図２】
2016025676.tif 000006
【図３】
2016025676.tif 000007
【図４】
2016025676.tif 000008
【図５】
2016025676.tif 000009
【図６】
2016025676.tif 000010